Podtech/llm-jp-corpus-v4-ja_patent huggingface dataset:
(57)【特許請求の範囲】
【請求項１】
ダイレクトドライブインホイールモーター、すなわち動力モーターのローターが車輪のホイールに直結されたインホイールモーターを用いた電気自動車において、当該インホイールモーターのステータを車体前方側の半周部分に偏在させて配置するレイアウトの方法。
【請求項２】
ダイレクトドライブインホイールモーターを用いた電気自動車において、車体の自重や車両の方向転換に起因して走行中に車軸へかかる荷重と相反する回転トルクの反作用を発生するステータの端子を優先的に作動させるインホイールモーターの駆動方法。
【発明の詳細な説明】
【技術分野】
【０００１】本発明は、車両の推進に用いるインホイールモーターのレイアウト及び駆動方法に関する。
【背景技術】
【０００２】従来の自動車のインホイールモーターは、非特許文献１のようなロータおよびステータを全周囲に配置した構造が用いられる。
【先行技術文献】
【非特許文献】
【０００３】
【非特許文献１】清水修著「電気自動車用ダイレクトドライブインホイールモータの高性能化に関する研究」慶應義塾大学大学院政策・メディア研究科、２０１５年３月発行、Ｐ．１５
【発明の概要】
【発明が解決しようとする課題】
【０００４】ダイレクトドライブインホイールモーター、すなわち動力モーターのローターが車輪のホイールに直結されたインホイールモーターを用いた車両では、当該動力モーターの回転軸が車軸を兼ねるため、車体の自重や走行時の方向転換などによる車軸への荷重がモーター回転時の機械損の発生源になるという問題がある。
【課題を解決するための手段】
【０００５】ダイレクトドライブインホイールモーターを用いた車両において、車体の自重や車両の方向転換に起因して走行中に車軸へかかる荷重と相反する回転トルクの反作用を発生するステータの端子を優先的に作動させる。【０００６】当該インホイールモーターのステータを車体前方側の半周部分に偏在させて配置する。
【発明の効果】
【０００７】ダイレクトドライブインホイールモーターを用いた車両においては、モーターの回転トルクの反作用がステータを介して車軸及び車体にも伝達される。そのため、車両走行中の車軸へかかる荷重に対して相反する回転トルクの反作用を発生するステータの端子を優先的に作動させ相殺することで、機械損の原因となる車軸への荷重を低減できる。【０００８】非特許文献１に開示されているモーター等の従来のインホイールモーターはローターの全周囲にステータが配置された構造であるのに対して、本願発明は、車輪に搭載するダイレクトドライブインホイールモーターのステータを車両前方側の半周部分に集中的に配置することにより、前進走行時の回転トルクがステータ側に上向きの反作用を発生させる一方、車体後方側の半周部分では回転トルクが発生せず下向きの反作用が生じないため、当該の作用によって車両の自重を相殺し車軸への荷重を低減できる。
【図面の簡単な説明】
【０００９】
【図１】ステータを車両前方側に偏在させたモーター構造の断面図。
【図２】ロータの外周部に緩衝装置の機構を内蔵した車輪構造の側面図および背面図。
【発明を実施するための形態】
【００１０】図１は、２基のモーターを並列して車輪に取り付ける場合のレイアウトの実施例を示す断面図である。図１の左側が車両の前方、右側が後方である。ロータ（１）と（２）の両側面に配した左右２対のステータ（３）と（４）のコイルを車体前方側の半周部分のみ設置する。
【００１１】図１の２基のモーターは、いずれか一方を省いても良い。
【００１２】図１のモーターにスイッチトリラクタンスモーターを用いる場合、車両の前進右旋回時および後進左旋回時には旋回角度に比例して左側ステータ（３）の出力を下げ、右側ステータ（４）の出力を上げる。同様に前進左旋回時および後進右旋回時は右側ステータの出力を下げ、左側ステータの出力を上げる。当該の駆動方法によってロータが受ける回転トルクのベクトルを回転面から左右の進行方向に傾けることで、車体旋回時に車輪が吸収しきれない車軸への水平方向のねじれの荷重を相殺、緩和する。
【００１３】図２は、板バネの変形と２枚のロータの回転による伸縮機構をロータの外周部に内蔵した車輪の実施例である。回転軸を共有する２枚のロータ（１）と（２）を、ヒンジ（６）を介してＵ字型のアーム（７）で連結する。車輪の円周に沿ったアーチ型の板バネ（８）の変形によって当該アームの中央部で屈曲する。当該板バネはトレッドの形状を保持する役割を兼ねており、外側表面にゴム製のトレッド（９）を貼る。複数の板バネおよびトレッドが螺旋状に並んで車輪の全周囲を取り囲むようにアームを２枚のロータの外周に等間隔で接続する。図２は説明上、２枚のロータにアーム、板バネ、トレッドが１対のみ装着された状態を図示している。
【符号の説明】
【００１４】１  外側ロータ、２  内側ロータ、３  左側ステータ、４  右側ステータ、５  車軸、６ヒンジ、７  アーム、８  板バネ、９  トレッド
【要約】
【課題】ダイレクトドライブインホイールモーターを用いた車両では、車体の自重や走行時の方向転換等による車軸への荷重が機械損の発生源になるという問題がある。
【解決手段】ダイレクトドライブインホイールモーターのステータを車体前方側の半周部分に偏在させて配置する。走行中に車軸へかかる荷重と相反する回転トルクの反作用を発生するステータの端子を優先的に作動させる。
【選択図】図１【図１】
0006674166.tif 000002
【図２】
0006674166.tif 000003
(57)【特許請求の範囲】
【請求項１】
電源を供給する電源部と、この電源部にコネクタを介して着脱自在に接続され、電源部に接続されると電源部から直流電力の供給を受けて内部の発光部が発光する照明部とからなる照明装置において、上記電源部内に、平滑用コンデンサと、この平滑用コンデンサを電源部内に設けた際に必要となる突入電流防止部との双方共に電源部内に設けず、上記照明部内に、上記発光部と並列に、上記電源部からの直流電力の供給が開始される際に生じる突入電流を防止する電解コンデンサを設けたことを特徴とする照明装置。
【発明の詳細な説明】
【技術分野】
【０００１】
本発明は、電源を供給する電源部と、この電源部にコネクタを介して着脱自在に接続され、電源部に接続されると電源部から電力の供給を受けて内部の発光部が発光する照明部とからなる照明装置に関する。
【背景技術】
【０００２】
上述のような電源部と照明部とが別個に形成された照明器具が知られている（例えば、特許文献１参照）。このものでは、照明部は電源部に対して着脱自在に接続されているので、照明部が故障した場合などには別の照明部と交換することができる。
【０００３】
一方、電源部は外部からの商用電源から供給される交流電力を所定の電圧の直流電源に変圧・整流して照明部に供給する。そのため、電源部には平滑用コンデンサが組み込まれている（例えば、特許文献２参照）。このように平滑用コンデンサが組み込まれていると、照明部を取り外した際に電解コンデンサに電荷が充電されていると、その電圧は照明器具が接続されている状態よりも高い電圧になるため、その状態で照明部を接続すると、照明部に高い電圧が印加されることによって突入電流が流れ、照明部が破損するおそれが生じる。そのため、電源部には突入防止回路が組み込まれている。
【先行技術文献】
【特許文献】
【０００４】
【特許文献１】特開２００９−７２０３１号公報（図１）
【特許文献２】特開２０１３−７０５８３号公報（図２）
【発明の概要】
【発明が解決しようとする課題】
【０００５】
上記のように突入防止回路を設けるためには複数の電子部品を必要とするため、電源部のコストが高くなるという不具合が生じる。
【０００６】
そこで本発明は、上記の問題点に鑑み、電源部側に突入防止回路を設けなくても照明部が突入電流で破損することのない照明装置を提供することを課題とする。
【課題を解決するための手段】
【０００７】
上記課題を解決するために本発明による照明装置は、電源を供給する電源部と、この電源部にコネクタを介して着脱自在に接続され、電源部に接続されると電源部から直流電力の供給を受けて内部の発光部が発光する照明部とからなる照明装置において、上記電源部内に、平滑用コンデンサと、この平滑用コンデンサを電源部内に設けた際に必要となる突入電流防止部との双方共に電源部内に設けず、上記照明部内に、上記発光部と並列に、上記電源部からの直流電力の供給が開始される際に生じる突入電流を防止する電解コンデンサを設けたことを特徴とする。
【０００８】
突入防止回路などの突入防止部を電源部に設けなければ、照明部を接続した際に突入電流が照明部に流れるおそれが生じる。その原因は電源部に設けた平滑用コンデンサであるから、平滑用コンデンサも電源部に設けなければ突入電流は生じない。ただし、それでは照明部に供給される直流電力を平滑することができないので、平滑用コンデンサとして機能する電解コンデンサを照明部に設けることとした。この構成により、照明部を電源部に接続した際に最初に電解コンデンサがチャージされるので、照明部内の発光部に突入電流が流れることはない。
【発明の効果】
【０００９】
以上の説明から明らかなように、本発明は、突入防止回路などの突入防止部を設けなくてもよいので、照明器具のコストを下げることができる。
【図面の簡単な説明】
【００１０】
【図１】本発明の照明器具の構成を示す図
【図２】電源部の２次側回路と照明部との構造を示す回路図
【発明を実施するための形態】
【００１１】
図１を参照して、１は本発明による照明装置の電源部である。２は同じく照明装置の照明部である。本実施の形態では３台の照明部２を１台の電源部１に接続しているが、電源部１の内部には各照明部２毎に電源ユニットが設けられている。そして、各電源ユニットは外部の商用電源３から供給される１００ボルトの交流電力を所定の電圧の直流電力に変換して各々の照明部２に供給する。
【００１２】
各照明部２内には発光部として後述するＬＥＤが内蔵され、スイッチ１１のオンオフ操作によって各照明部２が点消灯する。
【００１３】
図２を参照して、４は電源部１内の１個の電源ユニットの２次側回路を示している。従来の２次側回路４であれば平滑用コンデンサ４１がＡの位置に設けられ、突入防止回路４２がＢの位置に設けられている。ところが、本発明では平滑用コンデンサ４１および突入防止回路４２の双方共に廃止した。
【００１４】
ただし、照明部２内に発光部であるＬＥＤ２１と並列に電解コンデンサ２２を接続した。これにより、２次側回路４が作動している状態で照明部２を接続した場合に、照明部２に高い電圧が印加されても、突入電流はＬＥＤ２１に作用することなく電解コンデンサ２２にチャージされ、ＬＥＤ２１に印加される電圧が徐々に上昇することによって、ＬＥＤ２１に高い電圧が印加されることがない。
【００１５】
また、このように照明部２内に電解コンデンサ２２を設けておくと、照明部２を電源部１に接続した際に、ＬＥＤ２１がいきなり点灯するのではなく徐々に明るくなる、いわゆるフェードインし、照明部２を電源部１から取り外すと、ＬＥＤ２１がいきなり消灯するのではなく、電解コンデンサ２２にチャージされている電荷によって徐々に暗くなる、いわゆるフェードアウトすることになる。
【００１６】
なお、本発明は上記した形態に限定されるものではなく、本発明の要旨を逸脱しない範囲内において種々の変更を加えてもかまわない。
【符号の説明】
【００１７】
１  電源部
２  照明部
３  商用電源
４  ２次側回路
１１  スイッチ
２１  ＬＥＤ
２２  電解コンデンサ
４１  平滑用コンデンサ
４２  突入防止回路
【図１】
0006664886.tif 000002
【図２】
0006664886.tif 000003
(57)【特許請求の範囲】
【請求項１】
１つの電話ヘッドセットに、複数のスマートフォンＳ１からＳ４の電話音声のうちの特定のスマートフォンの電話音声を、パソコンからＵＳＢ接続されているスマートフォンの電話音声切り替え装置のマイコンボードにより切り替えが可能な装置であって、前記複数のスマートフォンＳ１からＳ４の電話ヘッドセット端子に、両端がオスオスの３．５ｍｍ４極ステレオミニプラグのコードの片側を差し込み、前記オスオスの３．５ｍｍ４極ステレオミニプラグのコードの反対側を、前記パソコンからＵＳＢ接続したスマートフォンの電話音声切り替え装置の前記複数のスマートフォンＳ１からＳ４に対応した回路の３．５ｍｍ４極ステレオミニジャックに接続し、前記電話音声切り替え装置のマイコンボードのフォトリレー回路のオン・オフ切り替えと、前記複数のスマートフォンに対応したプッシュスイッチからも、１つの電話ヘッドセット側に音声切り替えをおこなうことを特徴とするスマートフォンの電話音声切り替え装置
【発明の詳細な説明】
【技術分野】
【０００１】  本発明は、スマートフォンの電話音声切り替え装置である。
【背景技術】
【０００２】  コールセンターで、パソコンからＷｉ−Ｆｉにより同時に複数のスマートフォンＳ１からＳ４で発信した場合、相手が応答した前記複数のスマートフォンＳ１からＳ４のうちの特定のスマートフォンで会話をするには、発信ごとに相手が応答した複数のスマートフォンＳ１からＳ４のうちの特定のスマートフォンの電話ヘッドセットに、取り替えなくてはならなく不便であった。
【発明の概要】
【発明が解決しようとする課題】
【０００３】  解決しようとする課題は、パソコンからＷｉ−Ｆｉにより同時に発信した複数のスマートフォンＳ１からＳ４の電話ヘッドセットを、発信ごとに相手が応答した複数のスマートフォンＳ１からＳ４のうちの特定のスマートフォンの電話ヘッドセットに、取り替えなくてはならない点である。
【課題を解決するための手段】
【０００４】  本発明は、１つの電話ヘッドセットに複数のスマートフォンＳ１からＳ４のうちの、特定のスマートフォンの電話音声を、パソコンにＵＳＢで接続されているスマートフォンの電話音声切り替え装置から、切り替えできることを最も主要な特徴とする。
【発明の効果】
【０００５】  本発明のスマートフォンの電話音声切り替え装置は、１つの電話ヘッドセットに複数のスマートフォンＳ１からＳ４のなかの、特定のスマートフォンの電話音声をパソコンで切り替えできる利点がある。
【図面の簡単な説明】
【０００６】
【図１】スマートフォンの電話音声切り替え装置の回路図である。
【図２】スマートフォンの電話音声切り替え装置のイメージ図である。
【図１】
0006782921.tif 000002
【図２】
0006782921.tif 000003